(57)【要約】【課題】ユーザが音声認識機能に用いられる登録した言葉を忘却した場合でも、良好に音声認識機能を有効利用することのできる温水システムを提供する。【解決手段】湯水を加熱して利用する給湯装置本体１と、その給湯装置本体１を操作する台所リモコン２とを備える温水システムであって、台所リモコン２は、ユーザが発する給湯制御に関する音声命令を音声データとして登録するＥＥＰＲＯＭ２７と、同一の給湯制御に関する複数種類の音声命令をＥＥＰＲＯＭ２７に登録させる台所側マイコン２６とを有し、給湯装置本体１を動作させる際に、ユーザによって発せられた音声命令を認識し、その音声命令とＥＥＰＲＯＭ２７に登録された音声命令とを照合し、その照合結果において、ユーザの発する音声命令とＥＥＰＲＯＭ２７に登録された音声命令とが一致する場合、その音声命令に応じた給湯制御を行う。【選択図】  図２
2005017974.tif 000002
【特許請求の範囲】
【請求項１】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、を備えたことを特徴とする、温水システム。
【請求項２】
前記登録手段に登録される音声命令には、予め設定された標準の言葉が用いられた音声命令が含まれる、請求項１に記載の温水システム。
【請求項３】
前記登録手段に登録される音声命令には、ユーザによって任意に選択された前記標準の言語と異なる言葉が用いられた音声命令が含まれる、請求項１または２に記載の温水システム。
【請求項４】
前記操作手段は、複数設けられており、
第１の操作手段は、前記登録制御手段によって登録された音声命令を第２の操作手段に転送する転送手段を備え、
前記第２の操作手段は、前記第１の操作手段から転送された音声命令を自己の登録手段に登録させる更新登録制御手段を備えた、請求項１ないし３のいずれかに記載の温水システム。
【請求項５】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、
前記音声命令に対応し、かつユーザによる操作入力に基づいて点灯表示可能な操作入力手段と、
前記登録制御手段によって前記登録手段に音声命令を登録する際、その音声命令に対応する前記操作入力手段を点灯または点滅させる点灯制御手段と、を備えたことを特徴とする、温水システム。
【請求項６】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、
前記登録制御手段によって登録された音声命令を少なくとも文字にして表示する表示手段と、
前記登録制御手段によって前記登録手段に音声命令が登録されるとき、その音声命令を文字にして前記表示手段に表示する表示制御手段と、を備えたことを特徴とする、温水システム。
【請求項７】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、
ユーザが発する温水制御に関する音声命令が、既に登録された音声命令と同一または類似であるか否かを判別する判別手段と、
前記判別手段によってユーザによって発せられた音声命令が、既に登録された音声命令と同一または類似であると判別されたとき、前記ユーザによって発せられた音声命令の登録を禁止する登録禁止手段と、を備えたことを特徴とする、温水システム。
【請求項８】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、
前記音声命令に対応しかつユーザによる操作入力に基づいて点灯表示可能であって、前記登録制御手段によって登録された音声命令の再生を指示する操作入力手段と、
前記操作入力手段による音声命令の再生指示に基づいて、前記登録手段に登録された当該音声命令を読み出し、音声出力する音声出力制御手段と、を備えたことを特徴とする、温水システム。
【請求項９】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、
前記音声命令に対応しかつユーザによる操作入力に基づいて点灯表示可能であって、前記登録制御手段によって登録された音声命令の再生を指示する操作入力手段と、
前記操作入力手段による音声命令の再生指示に基づいて、当該音声命令に対応する前記操作入力手段を点灯または点滅させる点灯制御手段と、を備えたことを特徴とする、温水システム。
【請求項１０】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、
前記登録制御手段によって登録された音声命令を少なくとも文字にして表示する表示手段と、
前記音声命令に対応しかつユーザによる操作入力に基づいて点灯表示可能であって、前記登録制御手段によって登録された音声命令の再生を指示する操作入力手段と、
前記操作入力手段による音声命令の再生指示に基づいて、当該音声命令を文字にして前記表示手段に表示する表示制御手段と、を備えたことを特徴とする、温水システム。
【請求項１１】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、
前記音声命令に対応しかつユーザによる操作入力に基づいて点灯表示可能である操作入力手段と、
前記登録制御手段によって登録された複数の音声命令の全ての再生を指示する再生指示手段と、
前記再生指示手段による複数の音声命令の再生指示に基づいて、前記音声命令に対応する前記操作入力手段を順次、点灯または点滅させる点灯制御手段と、
を備えたことを特徴とする、温水システム。
【請求項１２】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、
前記登録制御手段によって登録された複数の音声命令の全ての再生を指示する再生指示手段と、
前記再生指示手段による音声命令の再生指示に基づいて、前記登録手段に登録された音声命令を順次読み出し、音声出力する音声出力制御手段と、を備えたことを特徴とする、温水システム。
【請求項１３】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、
前記登録制御手段によって登録された音声命令を少なくとも文字にして表示する表示手段と、
前記登録制御手段によって登録された複数の音声命令の全ての再生を指示する再生指示手段と、
前記再生指示手段による複数の音声命令の再生指示に基づいて、前記登録手段に登録された音声命令を文字にして順次、前記表示手段に表示する表示制御手段と、
を備えたことを特徴とする、温水システム。
【請求項１４】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段とを備え、
温水制御に関する音声命令は、温水制御における安全性の程度に基づいて、当該温水制御が可能であるか否かが予め設定されており、
ユーザの操作入力により温水制御における安全性の程度を選択的に入力可能な安全度選択入力手段と、
前記安全度選択入力手段によって入力された安全性の程度に基づいて、ユーザが発する音声命令に応じた温水制御を実行するか否かを決定する決定手段と、をさらに備えたことを特徴とする、温水システム。
【請求項１５】
湯水を加熱して利用する温水機器と、その温水機器を操作するための操作手段とを備える温水システムであって、
前記操作手段は、予めユーザが発する温水制御に関する音声命令を音声データとして登録する登録手段と、
同一の温水制御に関する複数種類の音声命令を前記登録手段に登録させる登録制御手段と、
前記温水機器を動作させる際に、ユーザが発する音声命令を認識し、その音声命令と前記登録手段に登録された音声命令とを照合する照合手段と、
前記照合手段による照合結果において、ユーザの発する音声命令と前記登録手段に登録された音声命令とが一致する場合、その音声命令に応じた温水制御を行う制御手段と、
前記音声命令に対応しかつユーザによる操作入力に基づいて点灯表示可能である操作入力手段と、
音声命令による操作可能な複数の操作入力手段が温水制御における安全性の程度に応じて互いに異なる組み合わせでパターン化されたパターンテーブルと、
ユーザの操作入力により安全性の程度を選択的に入力可能な安全度選択入力手段と、
前記安全度選択入力手段によって選択された安全性の程度に基づいて、前記パターンテーブルを参照して選択された前記操作入力手段を点灯または点滅させる点灯制御手段と、を備えたことを特徴とする、温水システム。
【発明の詳細な説明】
【０００１】
【発明の属する技術分野】
本願発明は、ユーザの音声を認識してその音声に応じた温水制御を行う温水システムに関する。
【０００２】
【従来の技術】
従来より、給湯などの温水制御運転が可能な温水システムとしては、給湯装置本体と、それに２芯線などによって接続された浴室リモコンや台所リモコンとを備えて構成されたものがある。給湯装置本体は、給湯用、風呂追い焚き用および温水暖房用などの熱交換器を備える燃焼ユニットと、この燃焼ユニットを制御するマイクロコンピュータ（以下、単に「マイコン」という。）を備える制御部とが設けられている。浴室リモコンや台所リモコンは、給湯装置本体の給湯運転を遠隔操作するためのものであり、操作スイッチや液晶表示器などを有する表示部が備えられている。
【０００３】
このような温水システムには、ユーザの音声を認識してその音声に応じた制御を行うものも提案されている（たとえば、特許文献１参照。）。
【０００４】
【特許文献１】
特開平６−３１５１９０号公報
【０００５】
この温水システムでは、予めユーザの給湯制御に関する音声命令が登録されると、以後、ユーザが発する音声命令と登録された音声命令とが一致するか否かが判別され、一致すると判別された場合、その音声命令に応じた給湯制御が行われるようになっている。そのため、ユーザは、予め登録した音声命令を発するだけで、リモコン装置の操作表示部に設けられた操作スイッチを押圧することなく給湯装置本体に給湯運転動作を実施させることができる。
【０００６】
【発明が解決しようとする課題】
しかしながら、上記した音声認識可能な温水システムでは、一つの操作スイッチ（一つの命令）に対して登録できる音声命令（操作言葉）が通常一つとされているため、ユーザがその登録した操作言葉を忘却してしまうと、上記したような音声命令による給湯運転動作が実施できなくなる。そのため、ユーザは、結局、操作スイッチによる通常の操作によって給湯運転動作を実施させねばならず、上記のような音声認識機能を有効に利用することができないといった不都合があった。
【０００７】
【発明の開示】
本願発明は、上記した事情のもとで考え出されたものであって、ユーザが音声認識機能に用いられる登録した操作言葉を忘却した場合でも、良好に音声認識機能を有効利用することのできる温水システムを提供することを、その課題とする。
【０００８】
上記の課題を解決するため、本願発明では、次の技術的手段を講じている。
【０００９】
本願発明の第１の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、を備えたことを特徴としている。
【００１０】
上記構成によれば、登録手段には、同一の温水制御に関する複数種類の音声命令が登録されるため、ユーザは、同一の温水制御に関する音声命令として複数種類を登録することができる。そのため、たとえば温水制御に関する音声命令（操作言葉）を忘却してしまっても、ユーザの好み（たとえば方言など）に合った操作言葉を登録しておけば、その操作言葉を思い出す可能性が高くなり、音声入力による温水制御を良好に行うことができる。したがって、従来の構成に比べ音声認識の確実性が増すとともに、温水制御の操作性を向上させることができる。
【００１１】
好ましい実施の形態によれば、前記登録手段に登録される音声命令には、予め設定された標準の言葉が用いられた音声命令が含まれるようにしてもよい。また、前記登録手段に登録される音声命令には、ユーザによって任意に選択された前記標準の言語と異なる言葉が用いられた音声命令が含まれるようにしてもよい。
【００１２】
他の好ましい実施の形態によれば、前記操作手段は、複数設けられており、第１の操作手段は、前記登録制御手段によって登録された音声命令を第２の操作手段に転送する転送手段を備え、前記第２の操作手段は、前記第１の操作手段から転送された音声命令を自己の登録手段に登録させる更新登録制御手段を備えていてもよい。
【００１３】
本願発明の第２の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、前記音声命令に対応し、かつユーザによる操作入力に基づいて点灯表示可能な操作入力手段と、前記登録制御手段によって前記登録手段に音声命令を登録する際、その音声命令に対応する前記操作入力手段を点灯または点滅させる点灯制御手段と、を備えたことを特徴としている。
【００１４】
上記構成によれば、登録手段（たとえばＥＥＰＲＯＭ）に音声命令を登録する際、その音声命令に対応する操作入力手段（たとえば操作スイッチ）を点灯または点滅させるので、ユーザは、当該操作スイッチについての操作言葉を容易に把握することができる。
【００１５】
本願発明の第３の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、前記登録制御手段によって登録された音声命令を少なくとも文字にして表示する表示手段と、前記登録制御手段によって前記登録手段に音声命令が登録されるとき、その音声命令を文字にして前記表示手段に表示する表示制御手段と、を備えたことを特徴としている。
【００１６】
上記構成によれば、登録手段（たとえばＥＥＰＲＯＭ）に音声命令を登録する際、その音声命令が文字にされて表示されるので、ユーザは、登録された音声命令を確認することができる。
【００１７】
本願発明の第４の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、ユーザが発する温水制御に関する音声命令が、既に登録された音声命令と同一または類似であるか否かを判別する判別手段と、前記判別手段によってユーザによって発せられた音声命令が、既に登録された音声命令と同一または類似であると判別されたとき、前記ユーザによって発せられた音声命令の登録を禁止する登録禁止手段と、を備えたことを特徴としている。
【００１８】
上記構成によれば、ユーザが発する音声命令が、既に登録された音声命令と同一または類似であると判別されたとき、ユーザが発する音声命令の登録を禁止するので、同一の操作言葉が登録されることがなく、一つの音声入力による給湯制御が特定できないといった弊害を防止することができる。
【００１９】
本願発明の第５の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、前記音声命令に対応しかつユーザによる操作入力に基づいて点灯表示可能であって、前記登録制御手段によって登録された音声命令の再生を指示する操作入力手段と、前記操作入力手段による音声命令の再生指示に基づいて、前記登録手段に登録された当該音声命令を読み出し、音声出力する音声出力制御手段と、を備えたことを特徴としている。
【００２０】
上記構成によれば、ユーザの操作に基づく音声命令の再生指示に基づいて、登録手段（たとえばＥＥＰＲＯＭ）に登録された当該音声命令を読み出し、音声出力するので、ユーザは、登録された音声命令を確実に把握することができる。
【００２１】
本願発明の第６の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、前記音声命令に対応しかつユーザによる操作入力に基づいて点灯表示可能であって、前記登録制御手段によって登録された音声命令の再生を指示する操作入力手段と、前記操作入力手段による音声命令の再生指示に基づいて、当該音声命令に対応する前記操作入力手段を点灯または点滅させる点灯制御手段と、を備えたことを特徴としている。
【００２２】
上記構成によれば、ユーザの操作に基づく音声命令の再生指示に基づいて、その音声命令に対応する操作入力手段（たとえば操作スイッチ）を点灯または点滅させるので、ユーザは、当該操作スイッチについての操作言葉を容易に把握することができる。
【００２３】
本願発明の第７の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、前記登録制御手段によって登録された音声命令を少なくとも文字にして表示する表示手段と、前記音声命令に対応しかつユーザによる操作入力に基づいて点灯表示可能であって、前記登録制御手段によって登録された音声命令の再生を指示する操作入力手段と、前記操作入力手段による音声命令の再生指示に基づいて、当該音声命令を文字にして前記表示手段に表示する表示制御手段と、を備えたことを特徴としている。
【００２４】
上記構成によれば、ユーザの操作に基づく音声命令の再生指示に基づいて、その音声命令が文字にされて表示されるので、ユーザは、登録された音声命令を確認することができる。
【００２５】
本願発明の第８の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、前記音声命令に対応しかつユーザによる操作入力に基づいて点灯表示可能である操作入力手段と、前記登録制御手段によって登録された複数の音声命令の全ての再生を指示する再生指示手段と、前記再生指示手段による複数の音声命令の再生指示に基づいて、前記音声命令に対応する前記操作入力手段を順次、点灯または点滅させる点灯制御手段と、を備えたことを特徴としている。
【００２６】
本願発明の第９の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、前記登録制御手段によって登録された複数の音声命令の全ての再生を指示する再生指示手段と、前記再生指示手段による音声命令の再生指示に基づいて、前記登録手段に登録された音声命令を順次読み出し、音声出力する音声出力制御手段と、を備えたことを特徴としている。
【００２７】
本願発明の第１０の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、前記登録制御手段によって登録された音声命令を少なくとも文字にして表示する表示手段と、前記登録制御手段によって登録された複数の音声命令の全ての再生を指示する再生指示手段と、前記再生指示手段による複数の音声命令の再生指示に基づいて、前記登録手段に登録された音声命令を文字にして順次、前記表示手段に表示する表示制御手段と、を備えたことを特徴としている。
【００２８】
本願発明の第１１の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段とを備え、温水制御に関する音声命令は、温水制御における安全性の程度に基づいて、当該温水制御が可能であるか否かが予め設定されており、ユーザの操作入力により温水制御における安全性の程度を選択的に入力可能な安全度選択入力手段と、前記安全度選択入力手段によって入力された安全性の程度に基づいて、ユーザが発する音声命令に応じた温水制御を実行するか否かを決定する決定手段と、をさらに備えたことを特徴としている。
【００２９】
この構成によれば、ユーザの操作入力による温水制御における安全性の程度に基づいて、ユーザが発する音声命令に応じた温水制御を実行するか否かが決定されるので、すなわち、たとえばユーザ（高齢のユーザ）の発する音声命令が安全性に劣るものである場合、その音声命令を受け付けないようにされるので、安全性に優れた温水システムを提供することができる。
【００３０】
本願発明の第１２の側面によって提供される温水システムは、湯水を加熱して利用する温水機器と、その温水機器を操作するための操作手段とを備える温水システムであって、前記操作手段は、予めユーザが発する温水制御に関する音声命令を音声データとして登録する登録手段と、同一の温水制御に関する複数種類の音声命令を前記登録手段に登録させる登録制御手段と、前記温水機器を動作させる際に、ユーザが発する音声命令を認識し、その音声命令と前記登録手段に登録された音声命令とを照合する照合手段と、前記照合手段による照合結果において、ユーザの発する音声命令と前記登録手段に登録された音声命令とが一致する場合、その音声命令に応じた温水制御を行う制御手段と、前記音声命令に対応しかつユーザによる操作入力に基づいて点灯表示可能である操作入力手段と、音声命令による操作可能な複数の操作入力手段が温水制御における安全性の程度に応じて互いに異なる組み合わせでパターン化されたパターンテーブルと、ユーザの操作入力により安全性の程度を選択的に入力可能な安全度選択入力手段と、前記安全度選択入力手段によって選択された安全性の程度に基づいて、前記パターンテーブルを参照して選択された前記操作入力手段を点灯または点滅させる点灯制御手段と、を備えたことを特徴としている。
【００３１】
本願発明のその他の特徴および利点は、添付図面を参照して以下に行う詳細な説明によって、より明らかとなろう。
【００３２】
【発明の実施の形態】
以下、本願発明の好ましい実施の形態を、添付図面を参照して具体的に説明する。
【００３３】
図１は、本願発明にかかる温水システムを一般住宅に適用した場合の一例を示す概略構成図である。図２は、この温水システムの電気的構成を示す図である。この温水システムは、風呂や台所において給湯を行うものであり、また、ユーザの発する音声を認識しその音声に応じて各種の給湯制御を行う、いわゆる音声認識機能を有している。すなわち、ユーザがたとえば給湯運転に関する制御命令を音声にして発すると、たとえば「運転スイッチオン」と発すると、その音声が認識されそれに応じた給湯制御、たとえば給湯運転動作が開始される。
【００３４】
この温水システムは、給湯装置本体１と、これを遠隔操作するための台所リモコン２および浴室リモコン３とによって概略構成されている。給湯装置本体１は、２芯線７を介して台所リモコン２および浴室リモコン３を接続している。
【００３５】
給湯装置本体１は、たとえば住宅の屋外に設置され、図２に示すように、給湯用、風呂追い焚き用、または温水暖房用の熱交換器、各種燃焼器、および各種バルブなど（いずれも図示せず）を含む燃焼ユニット１０と、給湯装置本体１の全体動作を制御する制御部１１とを備えている。
【００３６】
制御部１１は、たとえば電子部品が搭載されたプリント基板によって構成され、マイクロコンピュータ１２（以下、「本体側マイコン１２」という）、各種のデータを必要に応じて記憶するＥＥＰＲＯＭ１３、および通信部１４などを有している。本体側マイコン１２は、給湯装置本体１の制御中枢となるものであり、図示しないＲＯＭに記憶されている運転実行プログラム、あるいは台所リモコン２、浴室リモコン３や図示しない暖房用機器などから送られるコマンド信号などに基づいて、各種燃焼器の燃焼状態や各種バルブの開閉を制御する。
【００３７】
通信部１４は、台所リモコン２や浴室リモコン３との通信を行うためのものであり、所定の変復調方式に基づいた変復調回路によって構成されている。給湯装置本体１から台所リモコン２および浴室リモコン３に対しては、２芯線７を介して電源供給（たとえばＤＣ１５Ｖ）がされており、上記通信部１４において変調されたデータ信号は、電源電圧に重畳され、この２芯線７を介して台所リモコン２または浴室リモコン３に伝達される。また、台所リモコン２および浴室リモコン３から上記２芯線７を介して伝達された操作信号としてのデータ信号は、上記通信部１４において復調され、本体側マイコン１２に送られる。
【００３８】
台所リモコン２は、図３に示すように、たとえばキッチンの流し台近傍に設置された略直方体形状のケースを備えており、ユーザによる操作に基づいて、給湯装置本体１を遠隔操作するものである。また、台所リモコン２は、ユーザの発する音声を認識する機能を有し、また、その音声に応じた制御処理の内容を給湯装置本体１に送る機能を有する。
【００３９】
台所リモコン２は、制御部２１、通信部２２、表示部２３、操作部２４、および音声処理部２５を備えている。制御部２１は、マイクロコンピュータ２６（以下、単に「台所側マイコン２６」という）、およびＥＥＰＲＯＭ２７を備えている。また、音声処理部２５には、スピーカ２５ａおよびマイクロフォン２５ｂが接続されている。
【００４０】
台所側マイコン２６は、この台所リモコン２の制御を司るものであり、図示しないＲＯＭによって記憶されている運転実行プログラムや、ユーザによる操作部２４の操作内容に基づいて各部の動作制御やデータ処理を実行し、たとえば給湯温度、風呂湯温の設定温度、およびバーナの点火状況などを必要に応じて表示部２３に表示させたり、スピーカ２５ａから音声にして出力させたりする。
【００４１】
ＥＥＰＲＯＭ２７は、各種のデータを必要に応じて記憶するものである。特に、ＥＥＰＲＯＭ２７は、予めユーザによって登録される操作言葉（音声命令）を音声データとして、たとえば図４に示すように、操作言葉登録テーブルの形で記憶している。具体的には、操作言葉登録テーブルには、操作部２４に設けられた各スイッチの命令に対応した操作言葉が記憶されている。
【００４２】
特に、この実施形態では、一つのスイッチの命令に対して複数種類の操作言葉が記憶可能とされている。たとえば、運転スイッチ２４ａ（後述）のオンの動作に対応する言葉として、「運転スイッチオン」といった標準の操作言葉が記憶され、この他に、運転スイッチ２４ａのオンの動作に対応する言葉として、たとえば「運転開始」や「作動しなさい」といった任意の操作言葉が記憶されている。
なお、これらの操作言葉は、後述するように、ユーザによって登録されるものである。
【００４３】
台所側マイコン２６は、ユーザの発する音声命令（操作言葉）を認識し、ＥＥＰＲＯＭ２７に予め記憶された操作言葉と照合し、それらが一致するかどうかを判別し、一致する場合、その操作言葉に応じた制御処理の内容を把握し、それを給湯装置本体１にコマンド信号として送る機能を有する。たとえば、ユーザは、「運転スイッチオン」といった音声命令（操作言葉）を発すれば、運転スイッチ２４ａがオンの状態と同等の状態に制御されるようになっている。
【００４４】
また、ＥＥＰＲＯＭ２７には、ユーザが操作言葉を登録する際あるいは操作言葉を再生する際に、台所リモコン２の操作が容易となるように各種の案内メッセージが音声データの形で予め記憶されている。この案内メッセージは、必要に応じて台所側マイコン２６によってＥＥＰＲＯＭ２７から読み出され、音声にしてスピーカ２５ａを通じて出力される。
【００４５】
通信部２２は、給湯装置本体１や浴室リモコン３との通信を行うためのものであり、所定の変復調方式に基づいた変復調回路によって構成されている。給湯装置本体１または浴室リモコン３から２芯線７を介して伝達されたデータ信号は、この通信部２２において復調され、台所側マイコン２６に送られる。また、通信部２２において変調されたデータ信号は、２芯線７を介して給湯装置本体１または浴室リモコン３に伝達される。
【００４６】
表示部２３は、図３に示したように、たとえば多数の蛍光体をドットマトリクス状に配置した蛍光管や液晶ディスプレイ装置などからなり、台所側マイコン２６からの指令により風呂湯の設定温度やバーナの点火状況などを表示する。また、表示部２３は、必要に応じて音声認識機能に関する案内メッセージを表示する。
【００４７】
操作部２４は、ユーザによって給湯運転や暖房運転などを行うために操作されるものであって、複数の照光式の操作スイッチからなる。具体的には、運転の発停を行うための運転スイッチ２４ａ、湯水の温度の設定などといった各種の設定を行うための設定スイッチ２４ｂ、ユーザの操作により自動で湯張りや保温などを行うための風呂自動スイッチ２４ｃ、および台所にいる者が必要に応じて入浴者と通話するための通話スイッチ２４ｄなどが設けられている。ユーザによって、これらの操作スイッチが操作されると、その操作信号が台所側マイコン２６に送られる。また、これらの操作スイッチは、通常の給湯運転が行われる給湯運転モードでは、本来の運転動作を行うために操作され、後述するように、音声登録モードでは、音声命令を登録するために操作される。また、これらの操作スイッチは、登録された音声命令を再生するときに、必要に応じて点消滅される。
【００４８】
また、台所リモコン２には、マイクロフォン２５ｂが内蔵されており、このマイクロフォン２５ｂを通じてユーザの発する音声命令が入力されるようになっている。
【００４９】
音声処理部２５は、マイクロフォン２５ｂを通じて入力されるアナログ信号としての音声をディジタル信号としての所定の音声データに変換したり、ディジタル信号としての音声データをアナログ信号としての音声に変換してスピーカ２５ａから出力させたりするためのものである。
【００５０】
一方、浴室リモコン３は、図５に示すように、浴室内の浴槽Ｂの近傍などに設置された、防水機能が施されたケースを備えており、台所リモコン２と同様に、給湯装置本体１を遠隔操作するものである。また、浴室リモコン３は、台所リモコン２と同様に、ユーザの発する音声を認識する機能を有するとともに、その音声に応じた制御処理の内容をコマンド信号にして給湯装置本体１に送る機能を有する。
【００５１】
浴室リモコン３は、図２に示すように、制御部３１、通信部３２、表示部３３、操作部３４、および音声処理部３５を備えている。制御部３１は、マイクロコンピュータ３５（以下、単に「浴室側マイコン３６」という）、およびＥＥＰＲＯＭ３７を備えている。音声処理部３５には、スピーカ３５ａおよびマイクロフォン３５ｂが接続されている。
【００５２】
浴室側マイコン３６は、この浴室リモコン３の制御を司るものであり、図示しないＲＯＭによって記憶されている実行プログラムや、ユーザによる操作部３４の操作内容に基づいて、各部の動作制御やデータ処理を実行し、たとえば給湯温度、風呂湯温の設定温度、およびバーナの点火状況などを必要に応じて表示部３３に表示させたり、スピーカ３５ａから給湯運転に関する音声を出力させたりする。
【００５３】
ＥＥＰＲＯＭ３７は、各種のデータを必要に応じて記憶するものである。特に、このＥＥＰＲＯＭ３７には、台所リモコン２のＥＥＰＲＯＭ２７に設けられた操作言葉登録テーブルと同様の操作言葉登録テーブルが設けられており、この浴室リモコン３においても操作部３４の各操作スイッチに応じた音声命令が複数種類登録されている。なお、台所リモコン２で登録される音声命令と、浴室リモコン３で登録される音声命令とが互いに異なると、ユーザにとって使い勝手が悪くなる場合もあるので、必要に応じていずれか一方の記憶内容をいずれか他方の記憶内容と一致するように適当なタイミングで台所リモコン２から浴室リモコン３にＥＥＰＲＯＭ２７の記憶内容が転送され、浴室リモコン３においてＥＥＰＲＯＭ３７に上書きされるようにしてもよい。または、浴室リモコン３のＥＥＰＲＯＭ３７の記憶内容が台所リモコン２のＥＥＰＲＯＭ２７に上書きされてもよい。
【００５４】
また、浴室側マイコン３６は、台所側マイコン２６と同様に、ユーザの発する音声命令を認識してそれを予め記憶するとともに、その後、ユーザが音声を発したときに記憶された音声命令と一致するかどうかを判別し、一致する場合、その音声命令に応じた制御内容を把握し、給湯装置本体１に送る機能を有する。
【００５５】
また、ＥＥＰＲＯＭ３７には、台所リモコン２と同様に、ユーザが音声登録する際に、操作が容易となるように案内メッセージが音声データの形で予め記憶されている。この案内メッセージは、浴室側マイコン３６によって必要に応じてＥＥＰＲＯＭ３７から読み出され、音声にして出力される。
【００５６】
通信部３２は、給湯装置本体１や台所リモコン２との通信を行うためのものであり、所定の変復調方式に基づいた変復調回路によって構成されている。給湯装置本体１または台所リモコン２から２芯線７を介して伝達されたデータ信号は、この通信部３２において復調され、浴室側マイコン３６に送られる。また、通信部３２において変調された信号は、２芯線７を介して給湯装置本体１または台所リモコン２に伝達される。
【００５７】
表示部３３は、図５に示すように、たとえば多数の蛍光体をドットマトリクス状に配置した蛍光管や液晶ディスプレイ装置などからなり、台所リモコン２の表示部２３と同様に、浴室側マイコン３６からの指令により風呂湯の設定温度やバーナの点火状況などを表示する。また、表示部３３は、必要に応じて音声認識機能に関する案内メッセージを表示する。
【００５８】
操作部３４は、ユーザによって給湯運転を入力するために操作されるものであって、複数の照光式の操作スイッチからなる。具体的には、運転の発停を行うためのスイッチ３４ａ、湯水の温度の設定などといった各種の設定を行うための設定スイッチ３４ｂ、優先スイッチ３４ｃ、ユーザが操作をすると自動で湯張りや保温などを行うための風呂自動スイッチ３４ｄ、追い焚き運転を行うための追い焚きスイッチ３４ｅ、および入浴者が必要に応じて台所にいる者と通話するための通話スイッチ３４ｆなどが設けられている。ユーザによって、これらの操作スイッチが操作されると、その操作信号が浴室側マイコン３６に送られる。また、これらの操作スイッチは、台所側マイコン２６によって必要に応じて点消滅される。
【００５９】
また、浴室リモコン３には、マイクロフォン３５ｂが内蔵されており、このマイクロフォン３５ｂを通じてユーザの発する音声が入力されるようになっている。
【００６０】
音声処理部３５は、マイクロフォン３５ｂを通じて入力されるアナログ信号としての音声をディジタル信号としての所定の音声データに変換したり、ディジタル信号としての音声データをアナログ信号としての音声に変換してスピーカ３５ａから出力させたりするためのものである。
【００６１】
次に、上記の構成における作用について、図６に示すフローチャートを参照して説明する。
【００６２】
まず、ユーザによって操作言葉の登録が行われる音声登録モードについて説明する。以下では、台所リモコン２において操作言葉の音声登録を行う方法について説明するが、浴室リモコン３においても同様の手順で操作言葉の音声登録を行うことができる。
【００６３】
まず、たとえば台所リモコン２の台所側マイコン２６は、ユーザによって操作部２４に設けられた所定の操作スイッチ（たとえば上下に設けられた設定スイッチ２４ｂの両方）が数秒間継続して押し続けられたり、あるいは図示しない特定ディップスイッチが操作されたりすることを認識すると、通常の給湯運転モードから音声登録モードに移行させる。台所側マイコン２６は、音声登録モードに移行させると、スピーカ２５ａを通じて「音声登録をするスイッチを押してください」といった操作部２４に設けられたいずれかの操作スイッチを指定する旨の案内メッセージを音声出力させる（Ｓ１）。
【００６４】
具体的には、台所側マイコン２６は、上記した案内メッセージをＥＥＰＲＯＭ２７から読み出す。読み出された音声データとしての案内メッセージは、音声信号処理部（図示略）においてディジタル信号からアナログ信号に変換され、スピーカ２５ａから音声出力される。ユーザは、この案内メッセージによって台所リモコン２に設けられた、音声登録を行う所望の操作スイッチを押圧することができる。
【００６５】
次いで、台所側マイコン２６は、いずれの操作スイッチが押圧されたか否かの判別を行う（Ｓ２）。ユーザが所望するいずれかの操作スイッチが押圧されたと判別すると（Ｓ２：ＹＥＳ）、台所側マイコン２６は、押圧された操作スイッチを認識するとともに、その操作スイッチ固有の識別コードなどを一旦図示しないＲＡＭに記憶させる。なお、この音声登録モードにおいては、操作スイッチが押圧されても、本来の操作スイッチの押圧による制御動作は受け付けないように制御される。
【００６６】
一方、台所側マイコン２６は、ステップＳ２においていずれの操作スイッチも押圧されず（Ｓ２：ＮＯ）、所定時間経過しても未だ操作スイッチが押圧されないと判別したとき（Ｓ３：ＹＥＳ）、たとえば「音声登録モードを終了します。
音声登録の必要があれば再度音声登録モードに設定して下さい。」といった音声登録モードを終了する旨の案内メッセージを音声出力させる（Ｓ４）。そして、台所側マイコン２６は、モードを音声登録モードから通常の給湯運転モードに移行させる（Ｓ５）。すなわち、ユーザとしては、所定時間操作をしなければ、音声登録モードを終了させることができる。
【００６７】
ユーザが所望するいずれかの操作スイッチが押圧された場合、台所側マイコン２６は、当該操作スイッチに対応しつつ予めＥＥＰＲＯＭ２７に記憶されている標準の操作言葉を読み出し、スピーカ２５ａを通じて「このスイッチの標準の操作言葉は『運転スイッチオン』です。」といった当該操作スイッチの標準言葉を教示する案内メッセージを音声出力させる（Ｓ６）。さらに、ユーザが所望する操作スイッチが押圧された場合、当該操作スイッチを点灯または点滅させる。これにより、ユーザは、当該操作スイッチについての標準の操作言葉を把握でき、その標準の操作言葉をマイクロフォン２５ｂから音声で入力することができる。また、当該操作スイッチが点灯などするので、ユーザは、どの操作スイッチに関する標準言葉であるのかも容易に把握することができる。
【００６８】
なお、当該操作スイッチについての標準の操作言葉は予め記憶されておらず、ユーザが任意に選択した操作言葉を音声入力するようにしてもよい。また、ユーザは、予め記憶されている標準の操作言葉を変更したいときには、新たな操作言葉を音声入力するようにし、台所側マイコン２６では、その新たな操作言葉に書き換えて登録するようにしてもよい。
【００６９】
次いで、台所側マイコン２６は、操作言葉がマイクロフォン２５ｂを通じて音声入力されるか否かを判別する（Ｓ７）。これは、ユーザが操作言葉をマイクロフォン２５ｂを通じて音声入力し、音声処理部２５および台所側マイコン２６によって認識されたことにより、操作言葉が音声入力されたと判別する。
【００７０】
台所側マイコン２６は、操作言葉が音声入力されたと判別したとき（Ｓ７：ＹＥＳ）、その操作言葉を対応する操作スイッチの標準の操作言葉としてＥＥＰＲＯＭ２７の操作言葉登録テーブル（図４参照）の「操作言葉１（標準）」の記録領域に音声データとして記憶させる（Ｓ８）。このとき、台所側マイコン２６は、「標準の操作言葉として『運転スイッチオン』を登録しました」といった登録が完了した旨の案内メッセージをスピーカ２５ａを通じて出力させる。また、登録した操作言葉を表示部２３に文字にして表示させる。これにより、ユーザは自己の発した操作言葉が確実に登録されたことを把握することができる。
【００７１】
一方、ステップＳ７において、操作言葉が音声入力されず（Ｓ７：ＮＯ）、所定時間経過しても未だ操作言葉が音声入力されないと判別したとき（Ｓ９：ＹＥＳ）、ステップＳ４に進み、音声登録モードを終了する旨の案内メッセージを音声出力させる処理を行い、音声登録モードを終了する。
【００７２】
次いで、台所側マイコン２６は、標準の操作言葉が登録されると、「このスイッチで他の操作言葉を登録することができます。登録する際には、もう一度同じスイッチを押してください」といった他の操作言葉の音声入力を許可する旨の案内メッセージをスピーカ２５ａを通じて音声出力させる（Ｓ１０）。ユーザは、この音声案内によって同一の操作スイッチにおいて標準の操作言葉以外の他の操作言葉を登録することができることが把握でき、他の操作言葉を登録したいとき、同一の操作スイッチを押圧することができる。
【００７３】
台所側マイコン２６は、同一の操作スイッチが押圧されたか否かの判別を行い（Ｓ１１）、ユーザによって当該操作スイッチが押圧されたと判別すると（Ｓ１１：ＹＥＳ）、「このスイッチの操作言葉を登録しますのでお話ください」といった他の操作言葉の登録を許可する旨の案内メッセージを音声出力させる（Ｓ１２）。ユーザは、他の操作言葉を登録許可する旨の音声案内によって、標準の操作言葉以外の他の操作言葉が登録可能なことがわかるので、他の操作言葉を音声入力することができる。この場合、ユーザは、他の操作言葉として、たとえば標準の操作言葉に比べ、覚えやすいより身近な言葉（日常会話で用いる言葉またはそれに近い言葉、あるいは方言など）を登録するようにすれば、後述する音声認識モードにおいて音声認識されるとき、即座に操作言葉を想起することができる。
【００７４】
台所側マイコン２６は、操作言葉がマイクロフォン２５ｂを通じて音声入力されるか否かを判別し（Ｓ１３）、操作言葉が音声入力されたと判別したとき（Ｓ１３：ＹＥＳ）、その操作言葉を、対応する操作スイッチの他の操作言葉としてＥＥＰＲＯＭ２７の操作言葉登録テーブルの「操作言葉２」の記録領域に音声データとして記憶させる（Ｓ１４）。このとき、台所側マイコン２６は、「標準の操作言葉以外の他の操作言葉として、『運転開始』を登録しました」といった他の操作言葉の登録を完了した旨の案内メッセージをスピーカ２５ａを通じて出力させるようにしてもよい。
【００７５】
次に、台所側マイコン２６は、操作言葉登録テーブルを参照して、当該操作スイッチに対応する操作言葉の記憶領域が残っているか否かを判別する（Ｓ１５）。記憶領域が残っている場合（Ｓ１５：ＹＥＳ）、ステップＳ１０に戻り、他の操作言葉を登録が可能であることを許可する旨の案内メッセージを出力する処理を行う。
【００７６】
一方、操作言葉登録テーブルの当該操作スイッチに対応する操作言葉の記憶領域が残っていない場合（Ｓ１５：ＮＯ）、台所側マイコン２６は、「別のスイッチの操作言葉の登録をする場合には、別のスイッチを押してください」といった別の操作スイッチについて操作言葉を登録する旨の案内メッセージを音声出力させる（Ｓ１６）。これにより、ユーザは、別の操作スイッチにおける操作言葉の登録が可能であることが把握でき、操作言葉を登録する所望の別の操作スイッチを押圧することができる。
【００７７】
台所側マイコン２６は、上記案内メッセージを音声出力させると、ステップＳ２に戻り、操作スイッチが押圧されたか否かの判別処理を行う。
【００７８】
また、台所側マイコン２６は、ステップＳ１１においていずれの操作スイッチが押圧されず（Ｓ１１：ＮＯ）、所定時間経過しても未だ操作スイッチが押圧されないと判別したとき（Ｓ１７：ＹＥＳ）、ステップＳ１６に進み、別の操作スイッチの操作言葉を登録する旨の案内メッセージを出力する処理を行う。ここで、所定時間経過しても操作スイッチが押圧されないとき、ステップＳ４に進んで音声登録モードを終了させない理由は、ユーザが別の操作スイッチの操作言葉を登録したい場合があるからであり、ユーザの操作性を考慮した結果である。
【００７９】
また、台所側マイコン２６は、ステップＳ１３において当該操作スイッチの操作言葉が入力されず（Ｓ１３：ＮＯ）、所定時間経過しても未だ操作スイッチの操作言葉が入力されないと判別したときも（Ｓ１８：ＹＥＳ）、ステップＳ１６に進み、別の操作スイッチの操作言葉を登録する旨の案内メッセージを出力する処理を行う。
【００８０】
このように、この実施形態によれば、ユーザは、操作スイッチに対応する給湯制御に対して複数種類の操作言葉を登録することができるので、ユーザの好み（たとえば方言など）に合った操作言葉を登録しておけば、たとえば一つの給湯制御に関する音声命令（操作言葉）を忘却してしまっても、その操作言葉を思い出す可能性が高くなり、音声入力による給湯制御を良好に行うことができる。
【００８１】
また、ユーザは、上記操作手順にしたがって操作するだけで、容易に複数種類の操作言葉を登録することができる。特に、複数種類の操作言葉を登録できる旨や別の操作スイッチに対して操作言葉が登録できる旨が音声によって案内されるので、操作言葉を登録する際の利便性および操作性を向上させることができる。
【００８２】
なお、操作言葉を登録する手順は、上記に示した手順に限るものではなく、種々の手順が可能である。また、たとえば、図７に示すように、既に登録された操作言葉と同一の操作言葉の登録を禁止する処理が備えられていてもよい。すなわち、図６に示した制御動作においては、同一の操作スイッチにおいて複数種類の操作言葉を登録することができるため、他の操作スイッチとの間で同一の操作言葉をユーザが発するおそれがあり、異なる操作スイッチにおいて同一の操作言葉を登録してしまうと、実際の音声入力による給湯制御を行ったとき、給湯制御が特定できなくなるといった不都合が生じる。そのため、異なる操作スイッチにおいて同一の操作言葉が音声入力されるときには、その音声入力による登録を禁止するようにしている。また、異なる操作スイッチにおいて操作言葉が類似するとき、実際の音声入力による給湯制御を行ったとき誤動作の可能性があるので、その音声入力による登録を禁止するようにして、他の操作言葉を入力する旨を案内するようにしている。
【００８３】
図７は、音声入力による登録を禁止する制御が付加された、音声登録モードにおける制御処理を説明するためのフローチャートである。なお、図中、ステップＳ１〜Ｓ１８は、図６に示したステップＳ１〜Ｓ１８における処理と同様である。図７において、ステップＳ１３で音声入力がありと判別した場合（Ｓ１３：ＹＥＳ）、台所側マイコン２６は、ステップＳ２１において、ユーザによって音声入力された操作言葉を認識し、その操作言葉と、既に登録された各操作スイッチの操作言葉とを照合し、同一の操作言葉がないか否かを判別する。同一の操作言葉がない場合（Ｓ２１：ＹＥＳ）、音声入力された操作言葉を登録する（Ｓ２２）。一方、同一の操作言葉が音声入力された場合（Ｓ２１：ＮＯ）、「操作言葉が重複します。異なる操作言葉を再入力して下さい。」といった異なる操作言葉を再入力させるための案内メッセージを音声出力させ（Ｓ２３）、ステップＳ１３の判別処理に戻る。
【００８４】
これにより、ユーザは、音声入力した操作言葉が他の操作スイッチで既に登録されていた場合、それを把握することができ、異なる操作言葉を再入力することができる。そのため、他の操作スイッチにおいて同一の操作言葉が登録されることがなく、一つの音声入力による給湯制御が特定できないといった弊害を防止することができる。なお、上記の同一操作言葉を禁止する処理は、同一の操作スイッチにおいて既に登録されている同一の操作言葉が音声入力されるとき実行されてもよい。
【００８５】
また、図７のステップＳ２１における判別処理では、台所側マイコン２６は、ユーザによって音声入力した操作言葉と既に登録した操作言葉とを照合し、既に登録された操作言葉と類似する操作言葉がないか否かを判別するようにしてもよい。そして、音声入力した操作言葉と既に登録された操作言葉との類似度が高い場合、実際の音声入力の際に誤動作の可能性があるため、音声入力した操作言葉の登録を禁止して、他の操作言葉を登録する旨を推奨するようにしてもよい。
【００８６】
この判別処理には、音声入力した操作言葉と既に登録された操作言葉との類似度を、いわゆるパターンマッチングの技法を用いて判別する。たとえば、既に登録された操作言葉およびユーザが登録しそうな操作言葉を予めデータベース化しておき、これらと音声入力された操作言葉とを、いわゆるクラスタ認識や階層認識といった方法を採用して類似度を判別する。
【００８７】
たとえば、音声入力した操作言葉が「運転オン」であって、既に登録された操作言葉が「運転オフ」の場合、「運転」は同一であるので「オン」および「オフ」を特徴部分として抽出する。そして、「オン」および「オフ」では、最後の文字部分が異なるので、最後の文字部分に重み付けをして両者の類似度を判別する。
【００８８】
次に、ユーザの発する音声を認識して給湯制御を行うときの制御動作について、図８に示すフローチャートを参照して説明する。まず、通常の給湯運転モード（待機状態）が開始されると、台所側マイコン２６は、ユーザによって台所リモコン２のいずれかの操作スイッチの入力操作があったか否かを判別する（Ｓ３１）。いずれかの操作スイッチの入力操作があった場合（Ｓ３１：ＹＥＳ）、当該操作内容に対応する制御動作を行う（Ｓ３２）。たとえば、ユーザによって運転スイッチ２４ａが押圧されれば、その旨のコマンド信号が台所リモコン２から給湯運転本体１に送られ、給湯運転本体１では、給湯運転が開始される。
【００８９】
一方、いずれかの操作スイッチの入力操作がなく（Ｓ３１：ＮＯ）、ユーザによってマイクロフォン２５ｂを通じて音声による入力がある場合（Ｓ３３：ＹＥＳ）、台所側マイコン１６は、入力された音声を認識する処理を行う（Ｓ３４）。具体的には、台所側マイコン１６は、入力された音声の操作言葉と、ＥＥＰＲＯＭ２７の操作言葉登録テーブルに登録された操作言葉とを照合し、一致する操作言葉があるか否かを判別する。入力された操作言葉と一致する操作言葉とがある場合、その音声に該当する操作スイッチの操作内容をコマンド信号にして通信部２２および２芯線７を介して給湯装置本体１に伝達する。これにより、給湯装置本体１では、操作内容に基づく制御動作が行われる（Ｓ３２）。
【００９０】
この場合、ユーザが音声入力する操作言葉としては、ＥＥＰＲＯＭ２７の操作言葉登録テーブルには、複数種類の操作言葉が登録されているため、その登録されているいずれかの操作言葉を発すればよい。たとえば、他の操作言葉として、覚えやすいより身近な言葉（日常会話で用いる言葉またはそれに近い言葉）を登録しておけば、ユーザが標準の操作言葉を忘却してしまった場合でも、他の操作言葉を即座に思い出す可能性を高くすることができ、また、複数種類登録できることから、そのヒット性を高めることができる。
【００９１】
その後、台所側マイコン２６は、通常の給湯運転動作が終了したか否かを判別する（Ｓ３５）。すなわち、たとえば運転スイッチをオフする旨が音声入力されるか否かが判別され、給湯運転動作が終了したと判別した場合（Ｓ３５：ＹＥＳ）、本モードを終了し、一方、給湯運転動作が終了していないと判別した場合（Ｓ３５：ＮＯ）、ステップＳ３１に戻る。
【００９２】
このように、一つの操作スイッチに対応する給湯制御に対して複数種類の音声命令が登録可能とされているため、ユーザは、その給湯制御を行いたいとき、登録されている、いずれかの音声命令を発するだけでその操作スイッチにおける給湯制御を実施させることができる。そのため、給湯装置本体１に給湯運転動作を実施させるときの自由度が増し、スムーズな給湯運転の動作制御を行い得る。
【００９３】
次に、ユーザが登録した音声を再生する登録音声再生モードにおける制御動作について、図９に示すフローチャートを参照して説明する。上記実施形態によれば、同一の操作スイッチにおいて複数種類の操作言葉を登録することができるが、ユーザは、それらの複数種類の操作言葉を忘却する可能性が高いため、この実施形態では、登録した操作言葉を確認できるように操作言葉の再生が可能な登録音声再生モードが設けられている。
【００９４】
まず、台所リモコン２の台所側マイコン２６は、登録音声再生モードが開始されると、いずれかの操作スイッチが押圧されるか否かの判別を行う（Ｓ４１）。いずれかの操作スイッチが押圧されたと判別すると（Ｓ４１：ＹＥＳ）、台所側マイコン２６は、当該操作スイッチの標準の操作言葉をＥＥＰＲＯＭ２７から読み出し、スピーカ２５ａを通じて操作言葉を音声出力させる（Ｓ４２）。この場合、当該スイッチを点灯または点滅させる。また、表示部２３に操作言葉を表示するようにしてもよい。あるいは、スピーカ２５ａによる音声出力および表示部２３における表示がともに行われてもよい。
【００９５】
一方、ステップＳ４１において、操作スイッチが押圧されず（Ｓ４１：ＮＯ）、所定時間経過した場合（Ｓ４３：ＹＥＳ）、通常の給湯運転モードに移行させ、音声再生モードを終了する（Ｓ４４）。
【００９６】
標準の操作言葉が音声出力されれば（Ｓ４２）、台所側マイコン２６は、同じ操作スイッチの他の操作言葉をＥＥＰＲＯＭ２７から読み出し、スピーカ２５ａを通じて操作言葉を音声出力させる（Ｓ４５）。また、表示部２３に操作言葉を表示するようにしてもよい。
【００９７】
その後、台所側マイコン２６は、同じ操作スイッチにおいてＥＥＰＲＯＭ２７に登録されている操作言葉が全て音声再生されたか否かを判別し（Ｓ４６）、操作言葉が全て再生されていないと判別すれば（Ｓ４６：ＮＯ）、ステップＳ４１に戻り、さらに他の操作言葉の音声出力を行う。一方、操作言葉が全て再生されていると判別すれば（Ｓ４６：ＹＥＳ）、ステップＳ４１に戻り、他の操作スイッチが押圧されたか否かの判別処理を行う。
【００９８】
このように、登録された音声をユーザの操作により再生することができるので、ユーザは、登録した音声を忘却してもそれを確認することができる。なお、音声出力または表示部２３に表示される操作言葉は、標準の操作言葉のみでもよいし、標準の操作言葉以外の他の操作言葉のみでもよい。
【００９９】
また、ステップＳ４１において操作スイッチが押圧されず（Ｓ４１：ＮＯ）、所定時間経過していない場合（Ｓ４３：ＮＯ）、全ての操作スイッチについて再生する指示が入力されるか否かの判別を行う（Ｓ４７）。全ての操作スイッチについて再生する指示が入力された場合（Ｓ４７：ＹＥＳ）、いずれかの操作スイッチを点灯または点滅させる（Ｓ４８）。次いで、該当する操作スイッチに対応する操作言葉を音声出力する（Ｓ４９）。また、該当する操作スイッチに対応する操作言葉を文字にして表示部２３に表示する（Ｓ５０）。
【０１００】
所定時間経過後（Ｓ５１：ＹＥＳ）、全ての操作スイッチについて再生したか否かを判別し（Ｓ５２）、全ての操作スイッチを再生した場合、本処理を終了する。一方、全ての操作スイッチを再生していない場合（Ｓ５２：ＮＯ）、ステップＳ４８に戻り、次の操作スイッチについて点灯または点滅する処理を行う。
【０１０１】
ところで、上記のような音声認識機能を有する温水システムでは、ユーザが操作言葉を発することにより給湯動作が行われるので、利便性の高いものであるが、台所リモコン２や浴室リモコン３の音声処理部２５，３５がユーザの周囲の雑音などをユーザが発する音声と誤って認識することがある。
【０１０２】
たとえばユーザが他のユーザと会話をしている際、台所リモコン２の音声処理部２５は、誤ってその会話の中に含まれる言葉を操作言葉であると認識してしまい誤動作するおそれがある。また、料理の際の音、流し台で水を使用するときの音、リビングから生じる音などを誤って操作言葉であると認識してしまうおそれがある。また、浴室リモコン３の音声処理部３５は、ユーザが浴室リモコン３において音声入力する際、シャワーから湯が出る音や体を洗うときの湯かけ音、追い焚きの際の追い焚き動作音、浴槽の湯水に浸かっているときの湯水の音などのノイズ音により操作言葉の認識が困難になるおそれがある。
【０１０３】
誤って操作言葉として認識された場合、その操作言葉がたとえば湯の温度を上昇させるといった内容のものであれば、ユーザの意思に関係なく、湯の温度が上昇してしまい、安全性に劣る結果となる。
【０１０４】
このような不都合を解消するために、この実施形態では、操作スイッチに対応する音声命令ごとに、音声入力が可能な音声命令と音声入力不可能な音声命令とを区別するようにしている。たとえば、高齢のユーザが使用するときには、より安全性が高くなるように、安全性に劣る音声命令は受け付けないようにする。
【０１０５】
上記音声入力可能な音声命令と音声入力不可能な音声命令とを区別する方法としては、たとえばユーザが操作スイッチに対応する音声命令ごとにそれを任意に入力していく方法と、たとえば図１０に示すように、安全性のレベルに応じてランク付けされた安全度パターンを記憶する安全度パターンテーブルとを用いる方法とが挙げられる。
【０１０６】
安全度パターンテーブルは、ＥＥＰＲＯＭ２７に予め記憶されているものであり、ユーザが上記安全度パターンテーブルに記憶されている複数種類の安全度パターンの中から一つの安全度パターンを選択することにより、音声入力可能な音声命令と音声入力不可能な音声命令とを区別することができる。たとえば、ユーザが安全度パターンのレベルとして「安全性の高い安全度パターン」を選択した場合、図１０に示すように、音声入力可能な音声命令は、「運転スイッチオフ」、「風呂補水」、「給湯停止」のみとなる一方、音声入力不可能な音声命令は、「運転スイッチオン」、「風呂追い焚き」などとなる。
【０１０７】
図１１は、音声入力可能な音声命令と音声入力不可能な音声命令とを区別するための制御動作を示すフローチャートである。この制御動作によると、台所側マイコン２６は、ユーザからの設定入力に基づいて、任意の設定を行うかまたは安全度パターンによる設定を行うかを判別する（Ｓ６１）。任意の設定を行う旨がユーザによって設定入力されたと判別したとき（Ｓ６１：「任意の設定」）、台所側マイコン２６は、スピーカ２５ａを通じて「音声入力するスイッチを選択してください」といった操作スイッチの選択を要求する旨の案内メッセージを音声出力させる（Ｓ６２）。
【０１０８】
次いで、ユーザによっていずれかの操作スイッチが押圧されるか否かの判別を行い（Ｓ６３）、ユーザによっていずれかの操作スイッチが押圧された場合（Ｓ６３：ＹＥＳ）、台所側マイコン２６は、押圧された当該操作スイッチを点滅表示させる（Ｓ６４）。この場合、既に選択され点滅表示された操作スイッチがあれば、その点滅表示を停止させ、選択された操作スイッチから除外する。すなわち、当該操作スイッチが押圧されるたびに選択または不選択が交互に設定されるようになっている。
【０１０９】
次に、ユーザによって任意の設定の終了操作がなされたか否かの判別を行い（Ｓ６５）、終了操作がなされていないと判別した場合（Ｓ６５：ＮＯ）、ステップＳ６３のいずれかの操作スイッチが押圧されるか否かの判別処理を行う。一方、終了操作がなされたと判別した場合（Ｓ６５：ＹＥＳ）、選択された操作スイッチは、全て点灯させる（Ｓ６６）。また、「点灯しているスイッチは音声入力が可能です。」といった音声入力の可能な音声命令に対応する操作スイッチを紹介する旨の案内メッセージを音声出力させる。
【０１１０】
このようにして、ユーザは、音声入力が可能な音声命令を任意に設定することができる。また、音声入力の可能な音声命令に対応する操作スイッチは、全て点灯表示されるので、ユーザは、音声入力の可能な音声命令を一目で把握することができる。
【０１１１】
一方、ステップＳ６１において、安全度パターン設定が選択されたと判別した場合（Ｓ６１：「パターン設定」）、台所側マイコン２６は、スピーカ２５ａを通じて「パターンを選択して下さい。」といった安全度パターンの選択を催促する旨の案内メッセージを音声出力させる（Ｓ６７）。
【０１１２】
次いで、ユーザによっていずれかの安全度パターンが選択されるか否かの判別を行い（Ｓ６８）、ユーザによっていずれかの安全度パターンが選択された場合（Ｓ６８：ＹＥＳ）、台所側マイコン２６は、選択された安全度パターンをＥＥＰＲＯＭ２７から読み出し、選択された安全度パターンに基づいて音声入力が許可される音声命令に対応する操作スイッチを点滅表示させる（Ｓ６９）。
【０１１３】
続いて、台所側マイコン２６は、スピーカ２５ａを通じて「これらのスイッチのパターンでよろしいですか。」といった安全度パターンの選択を確認する旨の案内メッセージを音声出力させる（Ｓ７０）。
【０１１４】
その後、台所側マイコン２６は、ユーザによって再選択操作がなされたか否かの判別を行い（Ｓ７１）、再選択操作がなされたと判別した場合（Ｓ７１：ＹＥＳ）、ステップＳ６９に戻り、再選択された安全度パターンに含まれる音声命令に対応する操作スイッチを点滅表示させる処理を行う。
【０１１５】
ステップＳ７１において、再選択操作がなされていないと判別した場合（Ｓ７１：ＮＯ）、ユーザによって任意の設定の終了操作がなされたか否かの判別を行い（Ｓ７２）、終了操作がなされていないと判別した場合（Ｓ７２：ＮＯ）、ステップＳ６９に戻り、選択された安全度パターンに含まれる操作スイッチに対応する音声命令を点滅表示させる処理を行う。一方、終了操作がなされたと判別した場合（Ｓ７２：ＹＥＳ）、ステップＳ６６に進み、選択された安全度パターンに含まれる音声命令に対応する操作スイッチは、全て点灯させる。また、「点灯しているスイッチは音声入力が可能です。」といった音声入力の可能な音声命令に対応する操作スイッチを紹介する旨の案内メッセージを音声出力させる。
【０１１６】
このように、ユーザの操作により安全性を考慮して安全度パターンを選択することができるので、ユーザは、利用状況（ユーザが高齢の場合など）に応じた安全度パターンを選択して、音声入力が可能な音声命令を適切にかつ容易に選択することができる。特に、安全度パターンテーブルを用いると、操作スイッチごとに設定する手間が省け、操作性を向上させることができる。
【０１１７】
次に、音声入力が可能な音声命令を選択できる構成において、ユーザが実際に音声入力することにより給湯制御を行うときの制御動作について、図１２に示すフローチャートを参照して説明する。
【０１１８】
まず、通常の給湯運転モード（待機状態）が開始されると、台所側マイコン２６は、ユーザによって台所リモコン２のいずれかのスイッチの入力操作があったか否かを判別する（Ｓ８１）。通常のスイッチ操作があった場合（Ｓ８１：ＹＥＳ）、操作内容に対応する制御動作を行う（Ｓ８２）。たとえば、ユーザによって運転スイッチ２４ａが押圧されれば、その旨のコマンド信号が台所リモコン２から給湯運転本体１に送られ、給湯運転本体１では、給湯運転が開始される。
【０１１９】
一方、通常のスイッチ操作がなく（Ｓ８１：ＮＯ）、ユーザによってマイクロフォン２５ｂを通じて音声命令がある場合（Ｓ８３：ＹＥＳ）、音声処理部２５では、入力された音声を認識する処理を行う（Ｓ８４）。具体的には、入力された音声命令の操作言葉と、ＥＥＰＲＯＭ２７の操作言葉登録テーブルに登録された操作言葉とを照合し、一致する操作言葉があるか否かを判別する。一致する操作言葉がある場合、その操作言葉に対応する制御内容を認識する。
【０１２０】
次いで、台所側マイコン２６は、認識した操作言葉が予め設定されている安全度パターンに基づいて音声入力として許可されるか否かを判別する（Ｓ８５）。
すなわち、ＥＥＰＲＯＭ２７に記憶されている安全度パターンテーブルを参照して、認識した操作言葉が予め設定された安全度パターンに含まれるか否かを判別する。認識した操作言葉が予め設定された安全度パターンに含まれない場合（Ｓ８５：ＮＯ）、「この音声による音声操作は許可されません。」といった認識された操作言葉は許可しない旨の案内メッセージを音声出力させる（Ｓ８６）。その後、音声入力ではなく、操作スイッチの手入力による操作を促す旨を音声で案内する（Ｓ８７）。
【０１２１】
一方、ステップＳ８５において、台所側マイコン２６は、認識した操作言葉が予め設定された安全度パターンに含まれる場合（Ｓ８５：ＹＥＳ）、音声認識が正しいか否かの判別を行う（Ｓ８８）。具体的には、たとえば認識した操作言葉をそのまま音声出力し、「音声出力された操作言葉が正しいか」といった操作言葉を確認するメッセージを出力する。それに対し、ユーザから「はい」という音声入力があれば、音声認識が正しいと判別し（Ｓ８８：ＹＥＳ）、ステップＳ８２に進み、その音声入力による制御を実施する。
【０１２２】
また、操作言葉を確認するメッセージに対し、ユーザから「いいえ」という音声入力があれば、音声認識が誤っていると判別し（Ｓ８８：ＮＯ）、「音声入力が認識できませんでした。再度、命令ください。」といった再度の音声入力を要求する旨の音声メッセージを出力する（Ｓ８９）。
【０１２３】
次いで、上記したステップＳ８８と同様の処理が行われ（Ｓ９０）、音声認識が正しいと判別した場合（Ｓ９０：ＹＥＳ）、ステップＳ８２に進み、その音声入力による制御を実施する。また、音声認識が誤っていると判別した場合（Ｓ９０：ＮＯ）、音声入力が認識できない理由を音声にして出力する（Ｓ９１）。たとえば、水栓が使用中であれば、「水栓が使用中のため、音声認識が正常に認識できませんでした。水栓の使用を終了後、スイッチを操作するか音声入力してください。」といった案内メッセージを出力する。なお、音声入力が認識できない理由は、表示部２３に文字としてスクロール表示されてもよい。
【０１２４】
このように、安全性の程度に基づいて、ユーザが音声入力する音声命令が受け付け可能な音声命令と受け付け不可能な音声命令とに区別するようにしたので、この浴室システムの安全性を向上させることができる。
【０１２５】
なお、この発明の範囲は上述した実施の形態に限定されるものではない。たとえば、給湯装置本体１に接続されるリモコンの数は、上記の実施形態に限定されるものではない。また、上記実施形態では、図７、図８、図９、図１１および図１２のフローチャートに示す制御動作の説明においては、台所リモコン２における制御動作を説明したが、浴室リモコン３においても同様の制御動作が行われるようにしてもよい。
【０１２６】
【発明の効果】
本願発明によれば、登録手段には、同一の温水制御に関する複数種類の音声命令が登録されるため、ユーザは、同一の温水制御に関する音声命令として複数種類を登録することができる。そのため、たとえば温水制御に関する音声命令（操作言葉）を忘却してしまっても、ユーザの好み（たとえば方言など）に合った操作言葉を登録しておけば、その操作言葉を思い出す可能性が高くなり、音声入力による温水制御を良好に行うことができる。したがって、従来の構成に比べ音声認識の確実性が増すとともに、温水制御の操作性を向上させることができる。
【０１２７】
また、本願発明によれば、登録手段（たとえばＥＥＰＲＯＭ）に音声命令を登録する際、その音声命令に対応する操作入力手段（たとえば操作スイッチ）を点灯または点滅させるので、ユーザは、当該操作スイッチについての操作言葉を容易に把握することができる。
【０１２８】
また、本願発明によれば、登録手段（たとえばＥＥＰＲＯＭ）に音声命令を登録する際、その音声命令が文字にされて表示されるので、ユーザは、登録された音声命令を確認することができる。
【０１２９】
また、本願発明によれば、ユーザが発する音声命令が、既に登録された音声命令と同一または類似であると判別されたとき、ユーザが発する音声命令の登録を禁止するので、同一の操作言葉が登録されることがなく、一つの音声入力による給湯制御が特定できないといった弊害を防止することができる。
【０１３０】
また、本願発明によれば、ユーザの操作に基づく音声命令の再生指示に基づいて、登録手段（たとえばＥＥＰＲＯＭ）に登録された当該音声命令を読み出し、音声出力するので、ユーザは、登録された音声命令を確実に把握することができる。
【０１３１】
また、本願発明によれば、ユーザの操作に基づく音声命令の再生指示に基づいて、その音声命令に対応する操作入力手段（たとえば操作スイッチ）を点灯または点滅させるので、ユーザは、当該操作スイッチについての操作言葉を容易に把握することができる。
【０１３２】
また、本願発明によれば、ユーザの操作に基づく音声命令の再生指示に基づいて、その音声命令が文字にされて表示されるので、ユーザは、登録された音声命令を確認することができる。
【０１３３】
また、本願発明によれば、ユーザの操作入力による温水制御における安全性の程度に基づいて、ユーザが発する音声命令に応じた温水制御を実行するか否かが決定されるので、すなわち、たとえばユーザ（高齢のユーザ）の発する音声命令が安全性に劣るものである場合、その音声命令を受け付けないようにされるので、安全性に優れた温水システムを提供することができる。
【図面の簡単な説明】
【図１】本願発明にかかる温水システムを一般住宅に適用した場合の一例を示す概略構成図である。
【図２】図１の温水システムの電気的構成を示す図である。
【図３】台所リモコンの正面図である。
【図４】操作言葉登録テーブルの一例を示す図である。
【図５】浴室リモコンの正面図である。
【図６】本温水システムの動作を説明するためのフローチャートを示す図である。
【図７】本温水システムの動作を説明するためのフローチャートを示す図である。
【図８】本温水システムの動作を説明するためのフローチャートを示す図である。
【図９】本温水システムの動作を説明するためのフローチャートを示す図である。
【図１０】安全度パターンテーブルの一例を示す図である。
【図１１】本温水システムの動作を説明するためのフローチャートを示す図である。
【図１２】本温水システムの動作を説明するためのフローチャートを示す図である。
【符号の説明】
１    給湯装置本体
２    台所リモコン
３    浴室リモコン
２３    表示部
２４    操作部
２５    音声処理部
２５ａ  スピーカ
２５ｂ  マイクロフォン
２６    台所側マイコン
２７    ＥＥＰＲＯＭ
【図１】
2005017974.tif 000003
【図２】
2005017974.tif 000004
【図３】
2005017974.tif 000005
【図４】
2005017974.tif 000006
【図５】
2005017974.tif 000007
【図６】
2005017974.tif 000008
【図７】
2005017974.tif 000009
【図８】
2005017974.tif 000010
【図９】
2005017974.tif 000011
【図１０】
2005017974.tif 000012
【図１１】
2005017974.tif 000013
【図１２】
2005017974.tif 000014